(57)【要約】【課題】ハイブリッド車における無駄なエンジン始動を抑制する。【解決手段】第１モータジェネレータ１２及びエンジン１０を動力源とするハイブリッド車（車両）１のエンジン始動制御装置であって、このエンジン始動制御装置は、アクセルペダルの踏み込み量に応じた車両１の要求出力を演算する要求出力演算部３２と、エンジン停止中、前記要求出力が予め定められた第１閾値を超えたときに、当該第１閾値よりも大きい第２閾値を設定し、前記要求出力が前記第２閾値を超えた時点でエンジン１０を始動させるエンジン駆動制御部３４とを備える。【選択図】図２
2014151894.tif 000002
【特許請求の範囲】
【請求項１】
モータ及びエンジンを動力源とするハイブリッド車のエンジン始動制御装置であって、
アクセルペダルの踏み込み量に応じた車両の要求出力を演算する要求出力演算部と、
エンジン停止中、前記要求出力演算部により求められた要求出力が予め定められた第１閾値を超えたときに、当該第１閾値よりも大きい第２閾値を設定する閾値設定部と、
前記要求出力が前記第２閾値を超えた時点で前記エンジンを始動させる、エンジン駆動制御部と、を備えることを特徴とするエンジン始動制御装置。
【請求項２】
請求項１に記載のエンジン始動制御装置において、
前記閾値設定部は、前記要求出力の単位時間当たりの変化量に応じて、当該変化量が大きい程、前記第１閾値から離れた値の前記第２閾値を設定することを特徴とするエンジン始動制御装置。
【請求項３】
請求項１又は２に記載のエンジン始動制御装置において、
前記要求出力演算部は、前記アクセルペダルの踏み込み量に加え、車速に基づき前記要求出力を演算することを特徴とするエンジン始動制御装置。
【請求項４】
請求項１乃至３の何れか一項に記載のエンジン始動制御装置において、
前記要求出力演算部は、前記アクセルペダルの踏み込み量に加え、バッテリの蓄電状態および電装品の使用状況の少なくも一方に基づき前記要求出力を演算することを特徴とするエンジン始動制御装置。
【請求項５】
請求項１乃至４の何れか一項に記載のエンジン始動制御装置において、
前記アクセルペダルの踏み込み量およびその踏み込み時間をアクセル操作履歴として記憶する履歴記憶部と、
この履歴記憶部に記憶されているデータに基づき前記第１閾値又は第２閾値を更新的に変更する閾値変更部と、を備えることを特徴とするエンジン始動制御装置。
【発明の詳細な説明】
【技術分野】
【０００１】
本発明は、モータ及びエンジンを動力源とするハイブリッド車のエンジン始動制御装置に関するものである。
【背景技術】
【０００２】
モータ及びエンジンを動力源とするハイブリッド車として、従来から、パラレル・シリーズ方式のハイブリッド車が知られている。このハイブリッド車は、負荷の小さい運転域ではモータのみで走行し、アクセルペダルの踏込量が増加すると、具体的には、要求出力が増加して所定の閾値を超えると、エンジンを始動させて必要な駆動力を確保する。例えば、特許文献１には、このようなハイブリット車のエンジン始動制御に関し、アクセルペダルの踏込量（ドライバの加速要求の大きさ）に応じて、クランキング時のスロットル開度や燃料噴射タイミングを変更することで、緩加速時にドライバに与えるショックを軽減しつつ、急加速時にはレスポンスよく加速できる技術が開示されている。
【先行技術文献】
【特許文献】
【０００３】
【特許文献１】特許第４３１５０９４号公報
【発明の概要】
【発明が解決しようとする課題】
【０００４】
ところで、自動車の運転シーンにおいては、アクセルペダルを一旦踏み込んだ後、直ちに戻すといった操作が比較的多く見られる。例えば渋滞時などには、このような操作が行われ易い。しかし、モータ走行中のハイブリッド車においてこのような操作が行われると、アクセルペダルの踏み込みによってエンジンが始動してしまい、しかも、一旦エンジンが始動すると、設定時間の経過後でなければエンジンが停止しないため、本来不要なエンジンの始動によって、エミッションや燃費が悪化することが考えられる。
【０００５】
本発明は、上記のような事情に鑑みてなされたものであり、ハイブリッド車における無駄なエンジン始動を抑制することが可能な技術を提供することを目的とする。
【課題を解決するための手段】
【０００６】
上記の課題を解決するために、本発明は、モータ及びエンジンを動力源とするハイブリッド車のエンジン始動制御装置であって、アクセルペダルの踏み込み量に応じた車両の要求出力を演算する要求出力演算部と、エンジン停止中、前記要求出力演算部により求められた要求出力が予め定められた第１閾値を超えたときに、当該第１閾値よりも大きい第２閾値を設定する閾値設定部と、前記要求出力が前記第２閾値を超えた時点で前記エンジンを始動させる、エンジン駆動制御部と、を備えるものである。
【０００７】
このエンジン始動制御装置によれば、ドライバがアクセルペダルを踏み込んだ場合、その踏み込み量に応じて求められる要求出力が第１閾値を超え、さらにその時点で新たに設定される第２閾値（＞第１閾値）を超えなければエンジンが始動されない。そのため、要求出力が第１閾値を超えた後に低下するような、一時的なアクセルペダルの踏み込み操作が行われた場合のエンジン始動を抑制することが可能となる。
【０００８】
このエンジン始動制御装置において、前記閾値設定部は、前記要求出力の単位時間当たりの変化量に応じて、当該変化量が大きい程、前記第１閾値から離れた値の前記第２閾値を設定するのが好適である。
【０００９】
この構成によれば、アクセルを踏みすぎるドライバは、ペダルの踏み込み速度が速く、このようなドライバに対し、無駄なエンジン始動を抑制しつつ、一時的な踏み込みでないアクセル操作が行われた場合にエンジンを速やかに始動させてドライバの加速要求に応じることが可能となる。
【００１０】
なお、上記エンジン始動制御装置において、前記要求出力演算部は、前記アクセルペダルの踏み込み量に加え、車速に基づき前記要求出力を演算するものであるのが好適である。
【００１１】
この構成によれば、前記要求出力をより正確に求めることが可能となり、エンジンの無駄な始動をより効果的に抑制することが可能となる。
【００１２】
また、上記エンジン始動制御装置において、前記要求出力演算部は、前記アクセルペダルの踏み込み量に加え、バッテリの蓄電状態および電装品の使用状況の少なくも一方に基づき前記要求出力を演算するものであってもよい。
【００１３】
つまり、バッテリ残量が少ない場合や電装品による消費電力が多い場合には、エンジンによりモータジェネレータ等を駆動して電力生成を促進する方が望ましい。この点、上記のようにバッテリの蓄電状態および電装品の使用状況に基づき前記要求出力を演算する構成によれば、エンジンの無駄な始動を抑制する一方で、バッテリ残量が少ない場合や電装品による消費電力が多い場合には、速やかにエンジンを始動させて電力消費の抑制および電力生成の促進を図ることが可能となる。
【００１４】
なお、アクセルペダルを一時的に踏み込んで直ちに戻すといった操作に関し、ドライバがどの程度、又どれくらいの時間だけアクセルペダルを踏み込むかは、ドライバの性別、体型、あるいは癖などによって異なるため、上記第１閾値を一律に設定することは難しい。従って、上記エンジン始動制御装置においては、前記アクセルペダルの踏み込み量およびその踏み込み時間をアクセル操作履歴として記憶する履歴記憶部と、この履歴記憶部に記憶されているデータに基づき前記第１閾値又は第２閾値を更新的に変更する閾値変更部と、をさらに備えているのが好適である。
【００１５】
この構成によれば、ドライバの過去のアクセル操作履歴に基づき上記第１閾値又は第２閾値が更新的に変更される。そのため、アクセルペダルを踏み込む際のドライバの癖などを加味して、無駄なエンジン始動をより確実に抑制できるようになる。
【発明の効果】
【００１６】
以上説明したように、本発明のエンジン始動制御装置によれば、ハイブリッド車における無駄なエンジン始動を効果的に抑制することが可能となる。
【図面の簡単な説明】
【００１７】
【図１】本発明に係るエンジン始動制御装置が適用されるハイブリット車を示す概略構成図である。
【図２】エンジンの制御系を示すブロック図である。
【図３】第１実施形態にかかるＥＣＵのエンジン始動／停止制御を示すフローチャートである。
【図４】図３のエンジン始動／停止制御による作用効果を説明するためのグラフ（車速、エンジン回転数および総要求出力の関係を示すグラフ）である。
【図５】第２始動閾値の設定方法を説明する説明図（総要求出力の変化を示すグラフ）であり、（ａ）は総要求出力が急激に変化する場合、（ｂ）は総要求出力が緩やかに変化する場合の各第２始動閾値の設定例を示す。
【図６】第２実施形態にかかるエンジンの制御系を示すブロック図である。
【図７】アクセル操作履歴のデータを説明するためのグラフである。
【図８】エンジン駆動制御部による始動閾値およびタイマ設定時間の設定例を説明するためのイメージ図（グラフ）である。
【発明を実施するための形態】
【００１８】
以下、添付図面を参照しながら本発明の好ましい実施の一形態について詳述する。
【００１９】
（第１の実施形態）
図１は本発明に係るエンジン始動制御装置が適用されるハイブリット車の概略構成を示している。この図に示すハイブリッド車は、いわゆるシリーズ・パラレル方式のハイブリット車である。
【００２０】
このハイブリッド車（以下、車両１と称す）は、エンジン１０と、第１ＭＧ（モータジェネレータ）１２と、第２ＭＧ（モータジェネレータ）１４と、動力分配機構１６と、減速機構１８と、ＰＣＵ（パワーコントロールユニット）２２と、バッテリ２４と、前輪（駆動輪）２６Ｒ、２６Ｌと、後輪（従動輪）２８Ｒ、２８Ｌと、ＥＣＵ３０（エンジンコントロールユニット）３０と、を備えており、前記エンジン１０および第１ＭＧ１２の少なくとも一方側から出力される駆動力によって走行する。
【００２１】
前記エンジン１０は、例えば直列四気筒のガソリンエンジンである。このエンジン１０は、動力分配機構１６に連結されており、これにより当該エンジン１０で発生する駆動力が、減速機構１８を介して前輪２６Ｒ、２６Ｌを駆動する経路と、第２ＭＧ１４を駆動して発電させる経路とに分割される。
【００２２】
第２ＭＧ１４は、前記動力分配機構１６で分割された駆動力を受けて発電機として作動する。第２ＭＧ１４で発生した電力は、車両１の運転状態やバッテリ２４のＳＯＣ（Ｓｔａｔｅ  Ｏｆ  Ｃｈａｒｇｅ）に応じて、ＰＣＵ２２により第１ＭＧ１２又はバッテリ２４に振り分けられる。例えば、通常走行時などには、第２ＭＧ１４で発生した電力は、そのまま第１ＭＧ１２に供給され、第２ＭＧ１４をモータとして駆動するための電力として用いられる。一方、バッテリ２４のＳＯＣが低い場合などには、第２ＭＧ１４で発生した電力は、ＰＣＵ２２で交流電流から直流電流に変換された上でバッテリ２４に蓄電される。
【００２３】
なお、第２ＭＧ１４は、エンジン１０のスターターとしても機能する。すなわち、エンジン１０の始動時には、第２ＭＧ１４は、バッテリ２４からの電力供給を受けることでモータとして作動し、これによりエンジン１０をクランキングする。
【００２４】
第１ＭＧ１２は、前記第２ＭＧ１４からの電力及び／又は前記バッテリ２４からの電力供給を受けてモータとして作動する。第１ＭＧ１２で発生した駆動力は、減速機構１８を介して前輪２６Ｒ、２６Ｌに伝達される。これにより第１ＭＧ１２は、当該第１ＭＧ１２のみで前輪２６Ｒ、２６Ｌを駆動し、又は前記エンジン１０による前輪２６Ｒ、２６Ｌの駆動をアシストする。また、車両１の制動時、第１ＭＧ１２は発電機として作動し、これにより車両１に対して回生ブレーキをかける。このとき第１ＭＧ１２で発生した電力は、ＰＣＵ２２で交流電流から直流電流に変換された上でバッテリ２４に蓄電される。
【００２５】
ＥＣＵ３０は、各種センサからの入力信号に基づいて、ドライバの要求する走行状態が得られるように、エンジン１０やＭＧ１２、１４の駆動を制御するものであり、本発明のエンジン始動制御装置に相当するものである。
【００２６】
ＥＣＵ３０は、周知のマイクロコンピュータをベースとする制御装置であって、プログラムを実行する中央演算処理装置（ＣＰＵ）と、例えばＲＯＭやＲＡＭ等、プログラム及び各種データを格納するメモリと、電気信号の入出力を行うための入出力（Ｉ／Ｏ）バスとを備えており、本発明に関する機能構成として、図２に示すように、要求出力演算部３２およびエンジン駆動制御部３４を含んでいる。
【００２７】
また、ＥＣＵ３０には、車両に設けられた複数のセンサから種々の情報が入力されている。本発明の説明に必要な範囲で説明すると、車両１には、図示の通り、走行速度を検出する車速センサ３６と、図外のアクセルペダルの踏込み量に応じたアクセル開度を検出するアクセル開度センサ３７と、バッテリ２４の電圧（端子間電圧）を検出するバッテリセンサ３８とが設けられ、これら各センサ３６〜３８からの信号がＥＣＵ３０に入力されている。
【００２８】
前記要求出力演算部３２は、これら各センサ３６〜３８からの信号（入力情報）に基づき、車両１の要求出力（要求トルク）を演算するものである。詳しくは、アクセル開度センサ３７からの入力信号、又はアクセル開度センサ３７と車速センサ３６からの入力信号に基づき、ドライバの運転操作に応じた要求出力であるドライバ要求出力Ｐｄを演算する。さらに要求出力演算部３２は、バッテリセンサ３８からの入力情報に基づき、車両１の電力要求に応じた要求出力であるシステム要求出力Ｐｓを演算する。詳しくは、バッテリ２４のＳＯＣに基づき充電の要否を判断し、充電が必要な場合には、前記第２ＭＧ１４を発電機として駆動するために必要な出力を上記システム要求出力Ｐｓとして演算する。
【００２９】
前記エンジン駆動制御部３４は、図外のインジェクタ、点火プラグ、スロットル弁等を制御することともに、前記ＰＣＵ２２を介して第２ＭＧ１４を制御することにより、エンジン１０の始動／停止を含めた当該エンジン１０の駆動全体を制御するものである。特に、当該エンジン１０の始動／停止の際には、以下の通り、要求出力演算部３２が求めた目標出力に基づいて、エンジン１０の始動／停止の制御を行う。
【００３０】
図３は、ＥＣＵ３０によるエンジン１０の始動／停止制御を示すフローチャートである。
【００３１】
この制御は、ドライバのキー操作又はスイッチボタン操作により車両１が始動した時点で開始される。この制御がスタートすると、まず、タイマＴＭＡが初期化されＴＭＡ＝０とされたのち、要求出力演算部３２が各センサ３６〜３８からの入力信号（入力情報）に基づき要求出力を演算する（ステップＳ１〜Ｓ５）。具体的には、上記の通り、アクセル開度センサ３７からの入力信号、又はアクセル開度センサ３７と車速センサ３６からの入力信号に基づきドライバ要求出力Ｐｄを演算するとともに、バッテリセンサ３８からの入力情報に基づき、必要に応じてシステム要求出力Ｐｓを演算する。
【００３２】
次いで、エンジン駆動制御部３４が、図外のクランク角センサからの入力信号に基づきエンジン１０が停止中か否かを判断する（ステップＳ７）。エンジン１０が停止中である場合（ステップＳ７でＹＥＳ）には、エンジン駆動制御部３４は、予め記憶されている車速に応じた第１始動閾値ＰＯｓ１（本発明の第１閾値に相当する）を読み込み、ドライバ要求出力Ｐｄとシステム要求出力Ｐｓとの合計値である総要求出力（Ｐｄ＋Ｐｓ）が第１始動閾値ＰＯｓ１を超えているか否かを判断する（ステップＳ１１）。ここで、超えていない場合（ステップＳ１１でＮＯ）には、後記ステップＳ２５を経てステップＳ１にリターンする。
【００３３】
一方、総要求出力（Ｐｄ＋Ｐｓ）が第１始動閾値ＰＯｓ１を超えている場合（ステップＳ１１でＹＥＳ）には、エンジン駆動制御部３４は第２始動閾値ＰＯｓ２の設定フラグが「０」か否かを判断し（ステップＳ１３）、当該フラグが「０」の場合（ステップＳ１３でＹＥＳ）には、当該フラグに「１」を設定した後、第２始動閾値ＰＯｓ２を新に設定する（ステップＳ１７）。フラグに「１」が設定されている場合（ステップＳ１３でＮＯ）には、ステップＳ１５、Ｓ１７の処理をスキップして後記ステップＳ１９の処理に移行する。
【００３４】
前記第２始動閾値ＰＯｓ２（本発明の第２閾値に相当する）は、エンジン１０を始動させるか否かを最終的に決定するための閾値であり、エンジン駆動制御部３４は、総要求出力（Ｐｄ＋Ｐｓ）の単位時間当たりの変化量に応じてこの第２始動閾値ＰＯｓ２（＞第１始動閾値ＰＯｓ１）を設定する。詳しくは、前記要求出力演算部３２は、随時求めた総要求出力（Ｐｄ＋Ｐｓ）を一定期間記憶しており、エンジン駆動制御部３４は、総要求出力（Ｐｄ＋Ｐｓ）が第１始動閾値ＰＯｓ１を超えた時点から一定時間遡った時間内の総要求出力（Ｐｄ＋Ｐｓ）の変化量に応じて、その変化量が大きい程、第１始動閾値ＰＯｓ１から離れた値の第２始動閾値ＰＯｓ２を設定する。なお、当実施形態では、上記の通り、エンジン駆動制御部３４が第２始動閾値ＰＯｓ２を設定しており、従って、当実施形態では、このエンジン駆動制御部３４が本発明の閾値設定部の機能を兼ね備えた構成となっている。
【００３５】
第２始動閾値ＰＯｓ２の設定後、エンジン駆動制御部３４は、総要求出力（Ｐｄ＋Ｐｓ）が第２始動閾値ＰＯｓ２を超えているか否かを判断し（ステップＳ１９）、超えている場合（ステップＳ１９でＹＥＳ）には、エンジン１０を始動する（ステップＳ２１）。具体的には、エンジン駆動制御部３４は、ＰＣＵ２２を制御し、バッテリ２４から第２ＭＧ１４に電力を供給することにより当該第２ＭＧ１４をモータとして駆動し、これによりエンジン１０をクランキングする。そして、エンジン駆動制御部３４は、このエンジン始動に同期してタイマＴＭＡをＯＮすることにより設定時間Ｔ０の計時を開始した後、前記フラグを「０」にリセットしてステップＳ１の処理に移行する（ステップＳ２３、Ｓ２５）。前記設定時間Ｔ０は、エンジン１０の始動後、当該エンジン１０を停止させることが許容される最小時間であって、燃費やエミッションを考慮して試験的に定められている。当実施形態では、タイマＴＭＡはエンジン駆動制御部３４が備えており、前記設定時間Ｔ０は、例えば３ｓに設定されている。
【００３６】
前記ステップＳ１９において、総要求出力（Ｐｄ＋Ｐｓ）が第２始動閾値ＰＯｓ２を超えていないと判断した場合（ステップＳ１９でＮＯ）には、エンジン駆動制御部３４は、ステップＳ１の処理に移行し、各センサ３６〜３８からの入力信号（入力情報）に基づきドライバ要求出力Ｐｄおよびシステム要求出力Ｐｓをさらに演算する。
【００３７】
一方、前記ステップＳ７の処理で、エンジン１０が駆動中であると判断した場合には、エンジン駆動制御部３４は、予め記憶されている停止閾値ＰＯｅ（＜第１始動閾値ＰＯｓ１）を読み込み（ステップＳ２７）、総要求出力（Ｐｄ＋Ｐｓ）が停止閾値ＰＯｅ以下か否かを判断する（ステップＳ２９）。ここで、総要求出力（Ｐｄ＋Ｐｓ）が停止閾値ＰＯｅ以下でない場合（ステップＳ２９でＮＯ）には、エンジン駆動制御部３４は、ステップＳ１に移行してエンジン１０の駆動を維持する。一方、総要求出力（Ｐｄ＋Ｐｓ）が停止閾値ＰＯｅ以下である場合（ステップＳ２９でＹＥＳ）には、エンジン駆動制御部３４は、タイマＴＭＡにより設定時間Ｔ０が計時されているか否かをさらに判断する（ステップＳ３１）。そして、計時されていない場合（ステップＳ３１でＮＯ）には、ステップＳ１に移行してエンジン１０の駆動を維持し、計時されている場合（ステップＳ３１でＹＥＳ）には、エンジン駆動制御部３４は、エンジン１０を停止させ、さらにタイマＴＭＡをリセットした上で（ステップＳ３３、Ｓ３５）、ステップＳ１の処理に移行する。
【００３８】
図４は、ＥＣＵ３０による上記始動／停止制御に基づく、車両１の車速、エンジン回転数および総要求出力を示すグラフである。同図に示すように、上記の始動／停止制御によれば、車両１が停車状態、又は第１ＭＧ１２の駆動のみで走行している状態において、ドライバがアクセルペダルを踏み込み、これにより総要求出力（Ｐｄ＋Ｐｓ）が第１始動閾値ＰＯｓ１を超えると（ｔ１時点）、図５（ａ）に示すように、第２始動閾値ＰＯｓ２が新に設定され、総要求出力（Ｐｄ＋Ｐｓ）がさらにこの第２始動閾値ＰＯｓ２を超えると（ｔ２時点）、エンジン１０が始動される。そして、図４に示すように、エンジン１０の駆動中、総要求出力（Ｐｄ＋Ｐｓ）が停止閾値ＰＯｅ以下となると、エンジン１０の始動時点から設定時間Ｔ０が経過していることを条件に、エンジン１０が停止される（ｔ３時点）。
【００３９】
従って、総要求出力（Ｐｄ＋Ｐｓ）が一時的に第１始動閾値ＰＯｓ１に達した後、直ちに第１始動閾値ＰＯｓ１未満に低下するような運転操作（同図中のｔ４時点）、又は、総要求出力（Ｐｄ＋Ｐｓ）が第１始動閾値ＰＯｓ１を超えた後、第２始動閾値ＰＯｓ２を超えることなく第１始動閾値ＰＯｓ１未満に低下するような運転操作、すなわち、ドライバがアクセルペダルを一旦踏み込んだ後、直ちに戻すといった操作が行われた場合には、エンジン１０が始動されることはなく、これによりエンジン１０の無駄な始動が抑制される。
【００４０】
例えば、従来のこの種の車両であれば、ドライバがアクセルペダルを一旦踏み込んだ後、直ちに戻した場合でも、要求出力がｔ４時点に示すように閾値に達すると、破線で示すようにエンジンが一定時間始動されていたが、上記ＥＣＵ３０による上記始動／停止制御によれば、このようなエンジン１０の無駄な始動が効果的に抑制される。そのため、上記車両１によれば、このような無駄なエンジン始動が頻繁に生じることに起因するエミッションや燃費の悪化が効果的に抑制される。
【００４１】
しかも、ＥＣＵ３０による上記始動／停止制御によれば、総要求出力（Ｐｄ＋Ｐｓ）が単位時間当たりの変化量に応じて、当該変化量が大きい程、前記第１始動閾値ＰＯｓ１から離れた値の第２閾値ＰＯｓ２が設定されるため、図５（ａ）に示すように、単位時間（ｔ０時点〜ｔ１時点）の総要求出力（Ｐｄ＋Ｐｓ）の変化量ΔＰが大きい場合には、総要求出力（Ｐｄ＋Ｐｓ）が第１始動閾値ＰＯｓ１を超えてから第２始動閾値ＰＯｓ２を超えるまでの時間、すなわちエンジン１０が始動されるまので時間（ｔ１時点〜ｔ２時点）が、図５（ｂ）に示すように、同変化量ΔＰが小さい場合に比べて長くなる。従って、アクセルを踏み込みすぎる傾向のあるドライバは、一般的にペダルの踏み込み速度が速いことから、このようなドライバーに対し、エンジン１０の無駄な始動を抑制しながらも、一時的な踏み込みでないアクセル操作が行われた場合には、エンジン１０を速やかに始動させることができる、という利点がある。
【００４２】
さらに、ＥＣＵ３０による上記始動／停止制御では、ドライバ要求出力Ｐｄに加えてシステム要求出力Ｐｓが求められ、これらの総要求出力（Ｐｄ＋Ｐｓ）に基づきエンジン１０を始動させるか否かが判断されるので（ステップＳ１１）、バッテリ２４のＳＯＣが少ない場合、仮にアクセルペダルの踏み込み量が少ない場合でも、エンジン１０を始動させて第２ＭＧ１４を早めに駆動することが可能となる。従って、エンジン１０の無駄な始動を抑制しながらも、バッテリ２４が充電不足に陥ることを防止することができるという利点もある。
【００４３】
（第２実施形態）
図６は、第２実施形態にかかる車両１のＥＣＵ３０をブロック図で示している。この第２実施形態におけるＥＣＵ３０の構成（エンジン１０の始動／停止制御の内容）等は、以下の説明中で言及する点を除き、基本的には第１実施形態と同様である。
【００４４】
同図に示すように、第２実施形態のＥＣＵ３０は、その機能構成として履歴記憶部３５をさらに含んでおり、この点で第１実施形態のＥＣＵ３０と機能構成が相違する。
【００４５】
この履歴記憶部３５は、前記アクセルペダルの踏み込み量（アクセル開度）およびその踏み込み時間をアクセル操作履歴として記憶するものである。例えば、図７に示すように、アクセルペダルの踏み込み量として数段階のレベル（割合）が定められており、車両１の走行中には、ドライバによる１回のアクセルペダルの踏み込み操作により達したレベルと、アクセルペダルの踏み込み量が当該レベルに達してから予め設定された所定レベル（戻し値）に戻るまでの時間（踏み込み時間ｔ）とが随時サンプリングされて前記履歴記憶部３５に記憶される。
【００４６】
例えば、図８の実線のような踏み方をされた場合、アクセル開度の最高開度は、３０％〜６０％にあるため、３０％と判定し、さらに、３０％を超えた時点から、戻し値まで、０．１ｓｅｃ経過していることから、図９においてアクセル開度＝３０％で時間＝０．１ｓｅｃの発生１回として記憶され、同様に、図８の破線のような踏み方をされた場合、アクセル開度の最高開度は、６０％〜９０％にあるため、６０％と判定し、さらに、６０％を超えた時点から、戻し値まで、０．３ｓｅｃ経過していることから、図９においてアクセル開度＝６０％で時間＝０．３ｓｅｃの発生１回として記憶される。
【００４７】
そして、この第２実施形態のエンジン駆動制御部３４は、この履歴記憶部３５に記憶されているアクセル操作履歴に基づき、エンジン１０の始動／停止制御（ステップＳ９）に用いる第１始動閾値ＰＯｓ１、第２始動閾値ＰＯｓ２を更新的に変更する。例えば、エンジン駆動制御部３４は、定期的に上記アクセル操作履歴を参照し、図８にイメージ（グラフ）図で示すように、アクセルの踏み込み量（レベル）、踏み込み時間ｔ及び発生頻度の関係から、エンジン１０の無駄な始動がより効果的に抑制されるように、第１始動閾値ＰＯｓ１、第２始動閾値ＰＯｓ２を変更する。
【００４８】
例えば、図８のアクセル操作履歴から、アクセル開度が６０％未満の場合は、０．３ｓｅｃ以内にアクセルが戻され、０．３ｓｅｃ以上継続して踏み込まれている回数は、殆どなく、アクセル開度が６０％以上の場合は、０．４ｓｅｃ以上継続して踏み込まれる場合が多いことがわかる。よって、第１始動閾値ＰＯｓ１は、アクセル開度６０％未満のドライバ要求出力に相当する値に設定し、第２始動閾値ＰＯｓ２は、アクセル開度６０％以上のドライバ要求出力に相当する値に設定する。
【００４９】
これにより、ＥＣＵ３０は、定期的に第１始動閾値ＰＯｓ１、第２始動閾値ＰＯｓ２を変更しながら、エンジン１０の始動／停止制御を行う。つまり、当実施形態では、エンジン駆動制御部３４が本発明の閾値変更部としての機能を兼ね備えている。
【００５０】
このような第２実施形態の構成によれば、アクセルペダルを踏み込む際のドライバの癖などが加味された上で、エンジン１０の始動／停止が制御される。そのため、無駄なエンジン始動をより確実に抑制できるようになるという利点がある。
【００５１】
以上、本発明の実施形態について説明したが、上記実施形態は、本発明にかかるエンジン始動制御装置が適用されたハイブリット車の好ましい実施形態の例示であって、ハイブリット車１の具体的な構成やＥＣＵ３０（エンジン始動制御装置）の具体的な構成は、本発明の要旨を逸脱しない範囲で適宜変更可能である。
【００５２】
例えば、要求出力演算部３２は、バッテリセンサ３８からの入力情報、すなわちバッテリ２４のＳＯＣに応じたシステム要求出力Ｐｓを演算するが、さらにエアコンやランプ等の電装品の使用状況を監視しながら、当該使用状況を加味したシステム要求出力Ｐｓを演算する構成としてもよい。この構成によれば、車両１の消費電力が多い場合には、仮にアクセルペダルの踏み込み量が少ない場合でも、総要求出力（Ｐｄ＋Ｐｓ）が始動閾値ＰＯｓ１、ＰＯｓ２を超えやすくなり、エンジン１０の早めの始動により第２ＭＧ１４を駆動することが可能となる。従って、必要な電力を適切に確保できるという利点がある。
【００５３】
さらに、ドライバ要求出力Ｐｄとシステム要求出力Ｐｓの合計値である総要求出力（Ｐｄ＋Ｐｓ）と、始動閾値ＰＯｓ１，ＰＯｓ２とを比較するものに替えて、ドライバ要求出力Ｐｄと、始動閾値ＰＯｓ１，ＰＯｓ２からシステム要求出力Ｐｓを減算した値とを比較するようにしても良い。
【００５４】
また、上記実施形態では、本発明にかかるエンジン始動制御装置をいわゆるシリーズ・パラレル方式のハイブリット車に適用した例について説明したが、本発明のエンジン始動制御装置は、シリーズ方式など、その他のハイブリット車にも適用可能である。
【符号の説明】
【００５５】
１  ハイブリッド車
１０  エンジン
１２  第１モータジェネレータ（ＭＧ）
１４  第２モータジェネレータ（ＭＧ）
１６  動力分配機構
１８  減速機構
２２  パワーコントロールユニット（ＰＣＵ）
２４  バッテリ
３０  エンジンコントロールユニット（ＥＣＵ）
３２  要求出力演算部
３４  エンジン駆動制御部
３６  車速センサ
３７  アクセル開度センサ
３８  バッテリセンサ
【図１】
2014151894.tif 000003
【図２】
2014151894.tif 000004
【図３】
2014151894.tif 000005
【図４】
2014151894.tif 000006
【図５】
2014151894.tif 000007
【図６】
2014151894.tif 000008
【図７】
2014151894.tif 000009
【図８】
2014151894.tif 000010